(57)【要約】      （修正有）【課題】大相撲の番付をわかり易く表示し、一日の勝敗結果を書き入れることもできる番付表を提供する。【解決手段】東西の相撲力士を合わせて階級順に縦軸に並べ、出身地や年令なども記入し、一方横軸には部屋名を記入して力士と部屋とを対応させていることを特徴とする番付表である。さらにその日一日の勝敗の結果を記号化して赤鉛筆等で書き入れ場所ごとに冊子としてまとめておくことにより結果が一目で分かり、比較することもできる。【選択図】図１
0003147450.tif 000002
【実用新案登録請求の範囲】
【請求項１】
新規番付対部屋別図面  図１
「大相撲メモ」の中にある新規番付対部屋別図面の原図
【請求項２】
○年○月○場所「大相撲メモ」  図２
平成１７年９月秋場所大相撲星取表の実績を取りました
【考案の詳細な説明】
【技術分野】
【０００１】  二ヶ月毎に行なわれる本場所大相撲で幕内全力士が毎日一日中やられる取組みから勝敗の結果を全部１頁に書くことは出来１５日間を１５頁で出来るメモが来場所も同様の方法で出来て両方の内容を比較して見たいと考えている。
【背景技術】
【０００２】  現行の番付表は東西二列に力士名があげられそれに出身地年令部屋名など力士名に添書してある各項目については完全ではあるがこのまゝでは考案に使えない
〔考案に解決しようとする課題〕【０００３】  番付は元来階級を意味することから現行の東西二列式を思いきり東西合体の一列式に直した【０００４】  各力士の所属する部屋名を部屋属の一つと考え夫々の部屋名の全体を部屋と考えることにした
〔考案を解決するための手段〕【０００５】  東西合体の一列式番付表を図面上の縦軸に取り部屋を図面上横軸に取って所謂新規番付対部屋別図面を作った（図１）
【考案の効果】
【０００６】  （図２）は新規番付対部屋別図面１頁の中に平成１７年９月秋場所大相撲星取表の幕内全力士の名前を転書したものである
【０００７】  新規番付対部屋別図面は幕内力士全員が一日の内に、取組みから勝敗の結果までを全部簡単に（特に簡単と申上げたのはそれ以外の方法はないのです）
１頁の中に書入れておくことができる
【実施例】
【０００８】  図３は平成１７年９月１１日初日取組み勝敗の実績の一部を示したものでその記入方法は次の様であります
0003147450.tif 000003
これ等の記入は赤鉛筆の方がよく目立つ高取組みの記入は新間の朝刊に予告されるので、それを見て書くことが出来ます
【図面の簡単な説明】
【０００９】
【図１】新規番付対部屋別図面  登録請求
【図２】新規番付対部屋別図面に平成１７年９月秋場所大相撲星取表の実績力士名をそのまゝ転書したもの図
【図３】平成１７年９月秋場所大相撲第一日目の一部を取り上げ取組み勝敗の結果について記入方法の実例を示したもの図
【図４】小冊子「大相撲メモ」の全体図  内容について、１頁から１５頁までは図２そのまゝのもの  １６頁は幕内力士全員の１５日間の勝敗記録図  １７頁は私の思い出記用白紙
【図５】幕内力士全員の１５日間  取組み  勝敗結果  集計表図
【図１】
0003147450.tif 000004
【図２】
0003147450.tif 000005
【図３】
0003147450.tif 000006
【図４】
0003147450.tif 000007
【図５】
0003147450.tif 000008
【手続補正書】
【提出日】平成18年2月2日(2006.2.2)
【手続補正１】
【補正対象書類名】実用新案登録請求の範囲
【補正対象項目名】全文
【補正方法】変更
【補正の内容】
【実用新案登録請求の範囲】
【請求項１】
新規番付対部屋別  図面  図３
【請求項２】
大相撲メモ
【手続補正書】
【提出日】平成18年6月8日(2006.6.8)
【手続補正１】
【補正対象書類名】実用新案登録請求の範囲
【補正対象項目名】全文
【補正方法】変更
【補正の内容】
【実用新案登録請求の範囲】
【請求項１】
縦軸に東西合体の一列番付表を取り、横軸に部屋を取ったことを特徴とする番付表。
【請求項２】
請求項１に記載された番付表であって、一日の勝敗の結果を１頁の中に書き入れることができることを特徴とする番付表。
【手続補正３】
【補正対象書類名】明細書
【補正対象項目名】０００８
【補正方法】変更
【補正の内容】
【０００８】  図３は平成１７年９月１１日初日取組み勝敗の実績の一部を示したものである。これ等の記入は赤鉛筆の方がよく目立つ。高取組みの記入は新聞の朝刊に予告されるので、それを見て書くことが出来ます。
【手続補正書】
【提出日】平成18年10月31日(2006.10.31)
【手続補正１】
【補正対象書類名】実用新案登録請求の範囲
【補正対象項目名】全文
【補正方法】変更
【補正の内容】
【実用新案登録請求の範囲】
【請求項１】
縦軸に東西合体の一列番付表を取り、横軸に部屋を取ったことを特徴とする書面状の番付表。
【請求項２】
請求項１に記載された番付表であって、一日の勝敗の結果を１頁の中に書き入れることができることを特徴とする番付表。
【手続補正２】
【補正対象書類名】明細書
【補正対象項目名】０００８
【補正方法】変更
【補正の内容】
【０００８】  図３は取組み勝敗を示したものである。これ等の記入は赤鉛筆の方がよく目立つ。高取組みの記入は新聞の朝刊に予告されるので、それを見て書くことが出来ます。
【手続補正３】
【補正対象書類名】明細書
【補正対象項目名】０００９
【補正方法】変更
【補正の内容】
【０００９】
【図１】新規番付対部屋別図面
【図２】新規番付対部屋別図面に取組み勝敗を転書したものの図
【図３】取組み勝敗の結果について記入方法の実例を示したものの図
【図４】小冊子「大相撲メモ」の全体図
【図５】取組み勝敗結果集計表図
【手続補正４】
【補正対象書類名】図面
【補正対象項目名】図２
【補正方法】変更
【補正の内容】
【図２】
0003147450.tif 000009
【手続補正５】
【補正対象書類名】図面
【補正対象項目名】図３
【補正方法】変更
【補正の内容】
【図３】
0003147450.tif 000010
【手続補正６】
【補正対象書類名】図面
【補正対象項目名】図５
【補正方法】変更
【補正の内容】
【図５】
0003147450.tif 000011
【手続補正書】
【提出日】平成19年2月22日(2007.2.22)
【手続補正１】
【補正対象書類名】実用新案登録請求の範囲
【補正対象項目名】全文
【補正方法】変更
【補正の内容】
【実用新案登録請求の範囲】
【請求項１】
〔新規番付対部屋別図面〕の名称の文字を削除し、〔日本国技大相撲○月場所星取表〕の名称を追加する
〔内容の説明〕    この考案は紙面に碁盤状になる様、縦軸に東西一列式番付を採り、それに該当する幕内力士名を書き入れ、更に出身地、年令を並記して、これを横線で番付を區分し、同様に横軸に部屋名を並べて縦線で區分して番付対部屋別の図面を作る
この様にして出来た図面は幕内力士の相撲界における独自存在を明確に表わすことが出来るので、図面上の番付と部屋の合致個所に幕内力士夫々の名前を確実に書き入れ、これを場所毎の大相撲、取組み、並びに勝敗を判り易く記録することが出来る様にしたものである。
【手続補正書】
【提出日】平成19年6月15日(2007.6.15)
【手続補正１】
【補正対象書類名】実用新案登録請求の範囲
【補正対象項目名】全文
【補正方法】変更
【補正の内容】
【実用新案登録請求の範囲】
【請求項１】
縦軸に東西合体の一列番付表を取り、横軸に部屋を取ったことを特徴とする書面状の番付表
日本国技大相撲○年○月○場所星取表図１
【請求項２】
請求項１に記載された番付表であって、一日の勝敗の結果を１頁の中に書き入れることができることを特徴とする番付表
日本国技大相撲メモ（○年○月○場所）図３
【手続補正２】
【補正対象書類名】明細書
【補正対象項目名】０００８
【補正方法】変更
【補正の内容】
【０００８】〔図３は取組み勝敗を示したものである。これ等の記入は赤鉛筆の方がよく目立つ。高取組みの記入は新聞の朝刊に予告されるので、それを見て書くことが出来ます〕
図２は取組と勝敗の記入例です。取組みは新聞の朝刊予告を見て早めに記入しておけます。
【手続補正３】
【補正対象書類名】明細書
【補正対象項目名】０００９
【補正方法】変更
【補正の内容】
【０００９】
【図】〔図１新規番付対部屋別図面  図２新規番付対部屋別図面に取組み勝敗を転書したものの図  図３取組み勝敗の結果について記入方法の実例を示したものの図  図４小冊子「大相撲メモ」の全体図  図５取組み勝敗結果集計表図〕  図１日本特技大相撲○年○月○場所星取表図  図２取組み、勝敗の図  図３日本国技大相撲メモ（○年○月○場所）図
0003147450.tif 000012
0003147450.tif 000013
【手続補正書】
【提出日】平成19年6月27日(2007.6.27)
【手続補正１】
【補正対象書類名】実用新案登録請求の範囲
【補正の内容】
0003147450.tif 000014
0003147450.tif 000015
0003147450.tif 000016
0003147450.tif 000017
0003147450.tif 000018
0003147450.tif 000019
0003147450.tif 000020
【手続補正書】
【提出日】平成19年7月3日(2007.7.3)
【手続補正１】
【補正対象書類名】実用新案登録請求の範囲
【補正対象項目名】全文
【補正方法】変更
【補正の内容】
【実用新案登録請求の範囲】
【請求項１】
〔縦軸に東西合体の一列番付表を取り横軸に部屋を取ったことを特徴とする書面状の番付表〕
日本国技大相撲○年○月○場所星取表  図１
【請求項２】
〔請求項１に記載された番付表であって、一日の勝敗の結果を１頁の中に書き入れることができることを特徴とする番付表〕
日本国技大相撲メモ（○年○月○場所  図３
【手続補正２】
【補正対象書類名】明細書
【補正対象項目名】０００８
【補正方法】変更
【補正の内容】
【０００８】〔図３は取組み勝敗を示したものであるこれ等の記入は赤鉛筆の方がよく目立つ。高取組みの記入は新聞の朝刊に予告されるのでそれを見て書くことが出来ます〕
図２は取組みと勝敗の記入例です
取組みは新聞の朝刊予告を見て、早目に記入しておけます
【手続補正３】
【補正対象書類名】明細書
【補正対象項目名】０００９
【補正方法】変更
【補正の内容】
【０００９】〔図１  新規番付対部屋別図面
図２．新規番付対部屋別図面の取組み勝敗を転書したものの図
図３．取組み勝敗の結果について記入方法の実例を示したものの図
図４．小冊子大相撲メモの全体図
図５．取組み勝敗結果集計表図〕
図１．日本国技大相撲○年○月○場所星取表図
図２．取組勝敗の図
図３．日本国技大相撲メモ（○年○月○場所）図
図４  １５日間星取実績一覧表図
0003147450.tif 000021
0003147450.tif 000022
0003147450.tif 000023
【手続補正書】
【提出日】平成19年11月13日(2007.11.13)
【手続補正１】
【補正対象書類名】実用新案登録請求の範囲
【補正対象項目名】全文
【補正方法】変更
【補正の内容】
【実用新案登録請求の範囲】
【請求項１】
0003147450.tif 000024
0003147450.tif 000025
0003147450.tif 000026
0003147450.tif 000027
0003147450.tif 000028
0003147450.tif 000029
【手続補正書】
【提出日】平成20年6月10日(2008.6.10)
【手続補正１】
【補正対象書類名】実用新案登録請求の範囲
【補正対象項目名】全文
【補正方法】変更
【補正の内容】
【実用新案登録請求の範囲】
【請求項１】
縦軸に東西合体の一列番付表を取り、横軸に部屋を取ったことを特徴とする書面状の番付表．
【請求項２】
請求項１に記載された番付表であって、一日の勝敗の結果を一頁の中に書き入れることができることを特徴とする番付表．
【手続補正書】
【提出日】平成20年9月9日(2008.9.9)
【手続補正１】
【補正対象書類名】手続補正書
【補正対象項目名】手続補正３
【補正方法】変更
【補正の内容】
【手続補正３】
【補正対象書類名】明細書
【補正対象項目名】０００８
【補正方法】変更
【補正の内容】
【０００８】図２は取組みと勝敗の記入例です取組みは新聞の朝刊予告を見て早目に記入しておけます
【手続補正２】
【補正対象書類名】手続補正書
【補正対象項目名】手続補正３
【補正方法】変更
【補正の内容】
【手続補正３】
【補正対象書類名】明細書
【補正対象項目名】０００９
【補正方法】変更
【補正の内容】
【０００９】
【図１】日本国技大相撲○年○月○場所星取表図
【図２】取組み勝敗の記入例図
【図３】小冊子  大相撲  メモの全面図
【図４】場所期間中の勝敗実績一覧表図  等を追加する
【手続補正３】
【補正対象書類名】図面
【補正対象項目名】全図
【補正方法】変更
【補正の内容】
【図１】
0003147450.tif 000030
【図２】
0003147450.tif 000031
【図３】
0003147450.tif 000032
【図４】
0003147450.tif 000033